(57)【特許請求の範囲】
【請求項１】
先端に刃ブロックを有するとともに該刃ブロックの駆動源となるモータを内蔵し、且つ該モータのオンオフをスライド操作により制御するスイッチボタンを外面に配してあるへアーカッター本体に、刈り高さ調整アタッチメントを刃先方向にスライド自在に取り付けて成るヘアーカッターであって、ヘアーカッター本体の開口部から出入自在であり且つバネにて上記開口部から突出するとともに突出時に刈り高さ調整アタッチメント内壁の刃先方向に並設された複数の溝穴のいずれかに係合して刈り高さ調整アタッチメントを複数段階の刈り高さで仮保持するクリック部材に突起部を設けてあり、更に上記クリック部材の近傍には、上記スイッチボタンをオンするスライド動作と連動して突起部に係合することで上記クリック部材を固定する引っ込み動作制限用部材を備えていることを特徴とするヘアーカッター。
【請求項２】
クリック部材が出入りする上記開口部を、ヘアーカッター本体の外面の略中央部に設けることを特徴とする請求項１記載のヘアーカッター。
【請求項３】
クリック部材との間にバネを介するカバーの底部を、モータの外面により支持していることを特徴とする請求項１又は２に記載のヘアーカッター。
【請求項４】
クリック部材を、ヘアーカッター本体の開口部からの突出量が刃先方向に向けて増加するテーパ状の形状とし、且つ該クリック部材を傾倒自在に備えることで、スイッチボタンがオンの場合には刈り高さ調整アタッチメントが刃先方向にのみスライド自在としていることを特徴とする請求項１〜３のいずれか一項に記載のヘアーカッター。
【請求項５】
クリック部材の上記突起部と引っ込み動作制限用部材とに、スイッチボタンがオンの場合に互いに接触するテーパ面を設けることで、或る一定以上の荷重がクリック部材に加わった場合には上記突起部の押し込みによって引っ込み動作制限用の部材がスライドしてスイッチボタンをオフとするように設けることを特徴とする請求項１〜３のいずれか一項に記載のヘアーカッター。
【発明の詳細な説明】
【０００１】
【発明の属する技術分野】
本発明は、摺接した櫛状の可動歯と固定歯によって毛髪のカットを行うヘアーカッターに関するものである。
【０００２】
【従来の技術】
毛髪のカットを行う場合、ヘアーカッター本体のみを用いて仕上がりの長さを揃えるには施術者自身の熟練が必要である。従って、刈り高さ調整アタッチメントをヘアーカッター本体に係止させ、更に刃先方向にスライドした任意位置で該刈り高さ調整アタッチメントを仮保持する為の手段を有したヘアーカッターが従来から数多く発案されている。しかし上記のヘアーカッターでは、刈り高さ調整アタッチメントは仮保持されているに過ぎず、保持力が弱い。従って使用中に強い荷重が加わった場合には刈り高さ調整アタッチメントが不用意にスライドしてしまうという問題があった。
【０００３】
この問題点を解決すべく、仮保持した刈り高さ調整アタッチメントをヘアーカッター本体に固定する為の手段を有するヘアーカッターも提供されているが、従来のものは仮保持する為の手段とは別に仮保持を固定する為の手段を設けたものなので多くの部品点数が必要であり、その為にヘアーカッター本体をコンパクト化するのが困難であった。更に仮保持を固定する為の手段が解除されていれば、スイッチボタンがオンの場合であっても刈り高さ調整アタッチメントはスライドすることができるので、不用意に短く刈ってしまう危険性は依然として残っていた。
【０００４】
【発明が解決しようとする課題】
本発明は上記の点に鑑みてなされたものであり、刈り高さ調整アタッチメントと該刈り高さ調整アタッチメントを仮保持する為の手段と仮保持を固定する為の手段を有し、且つ、上記の手段を別々に設けるのでなく共通の手段を用いて行い、更にスイッチボタンがオンの状態では上記の固定が解除されることのない機能を有したヘアーカッターを提供することを課題とするものである。
【０００５】
【課題を解決するための手段】
上記課題を解決するために請求項１記載の本発明は、先端に刃ブロックを有するとともに該刃ブロックの駆動源となるモータを内蔵し、且つ該モータのオンオフをスライド操作により制御するスイッチボタンを外面に配してあるへアーカッター本体に、刈り高さ調整アタッチメントを刃先方向にスライド自在に取り付けて成るヘアーカッターであって、ヘアーカッター本体の開口部から出入自在であり且つバネにて上記開口部から突出するとともに突出時に刈り高さ調整アタッチメント内壁の刃先方向に並設された複数の溝穴のいずれかに係合して刈り高さ調整アタッチメントを複数段階の刈り高さで仮保持するクリック部材に突起部を設けてあり、更に上記クリック部材の近傍には、上記スイッチボタンをオンするスライド動作と連動して突起部に係合することで上記クリック部材を固定する引っ込み動作制限用部材を備えていることを特徴とするヘアーカッターとする。
【０００６】
請求項２記載の本発明は、クリック部材が出入りする上記開口部を、ヘアーカッター本体の外面の略中央部に設けることを特徴とする請求項１記載のヘアーカッターとする。
【０００７】
請求項３記載の本発明は、クリック部材との間にバネを介するカバーの底部を、モータの外面により支持していることを特徴とする請求項１又は２に記載のヘアーカッターとする。
【０００９】
請求項４記載の本発明は、クリック部材を、ヘアーカッター本体の開口部からの突出量が刃先方向に向けて増加するテーパ状の形状とし、且つ該クリック部材を傾倒自在に備えることで、スイッチボタンがオンの場合には刈り高さ調整アタッチメントが刃先方向にのみスライド自在としていることを特徴とする請求項１〜３のいずれか一項に記載のヘアーカッターとする。
【００１３】
請求項５記載の本発明は、クリック部材の上記突起部と引っ込み動作制限用部材とに、スイッチボタンがオンの場合に互いに接触するテーパ面を設けることで、或る一定以上の荷重がクリック部材に加わった場合には上記突起部の押し込みによって引っ込み動作制限用の部材がスライドしてスイッチボタンをオフとするように設けることを特徴とする請求項１〜３のいずれか一項に記載のヘアーカッターとする。
【００１５】
【発明の実施の形態】
以下、本発明を添付図面に示す実施形態に基づいて説明する。
【００１６】
本発明の実施形態の一例であるヘアーカッターについて説明する。図１にヘアーカッター本体１を示し、図２および図３に該ヘアーカッター本体１に刈り高さ調整アタッチメント３を取り付けた状態を示す。ヘアーカッター本体１には先端に刃ブロック２を設け、更に外面に設けた開口部４ａから出入り自在なクリック部材８を配置している。該クリック部材８が刈り高さ調整アタッチメント３の内壁に係止部として四ヶ所設けられた溝穴３ａのいずれか一つに係合することで、刈り高さ調整アタッチメント３はヘアーカッター本体１に仮保持される。従って本実施例の場合はクリック部材８の係合する溝穴３ａに対応して四段階の刈り高さ調整が可能となる。またクリック部材８は出入り自在なので、刈り高さ調整アタッチメント３に対して刃先方向もしくはその逆方向に荷重を加えれば、クリック部材８が開口部４ａ内に引っ込むことで刈り高さ調整アタッチメント３は容易にスライドし、更に別の溝穴３ａとクリック部材８が係合することで刈り高さを変更することができる。電源のオン、オフはヘアーカッター本体１側面に設けた開口部１ａから突出したスイッチボタン６のスライドにより行う。
【００１７】
ヘアーカッター本体１の内部構造については図４の断面図および図５の分解斜視図に基づいて説明する。ヘアーカッター本体１は上ケース４と下ケース５を三本のネジ２０で固定することにより構成されており、刃ブロック２は、上下ケース４，５によって固定された一対の刃止めバネ２１によってヘアーカッター本体１の先端部に配置している。上ケース４の略中央部には略円形状の開口部４ａが設けてあり、更に該開口部４ａからクリック部材８をその一部が突出するように配置している。上ケース４の開口部４ａ内側にはカバー１０がフックにより取り付けてあり、該カバー１０とクリック部材８との間にコイルバネ９を介することによって、クリック部材８は開口部４ａから出入り自在なクリック部材となる。
【００１８】
カバー１０の底部と接する位置には駆動源であるモータ１４が配置してある。モータ１４の出力軸には偏心軸２３を固定した偏心カム２２が圧入してあるので、モータ１４が駆動すると偏心軸２３により刃ブロック２へその駆動が連結されるようになっている。
【００１９】
ヘアーカッター本体１内部には側面寄りにスイッチ基台７が配置されており、ヘアーカッター本体１の側面に設けた開口部１ａから突出したスイッチボタン６がコイルバネ１１を介して該スイッチ基台７に取り付けられている。更に上ケース４および下ケース５により内部に固定されたスイッチ基板１３と接するように、接点バネ１２がスイッチ基台７の内側に固定されており、スイッチ基板１３はモータ１４の周辺に配置した蓄電池２４を有する回路板１５とリード線により連結している。従ってヘアーカッター本体１の側面より突出したスイッチボタン６をスライドさせれば、連動してスイッチ基台７がスライドする。そして接点バネ１２がスイッチ基板１３に対してスライドすることによってスイッチ基板１３と連結した回路板１５の電源を開閉し、モータ１４の駆動を制御することができる。
【００２０】
ヘアーカッター本体１の後部側、つまり刃ブロック２の反対側にはプラグバネ１９をかしめ固定したプラグ基台１７が固定してあり、該プラグ基台１７およびプラグバネ１９に対してスライドするようにプラグ１８が設けてある。プラグバネ１９はリード線により回路板１５と連結しているので、プラグ１８をスライドさせ、ヘアーカッター本体１の側面に設けたもう一つの開口部１ｂから突出した状態で家庭用コンセントに差し込めば、回路板１５の蓄電池２４が充電される仕組みとなっている。また充電中には回路板１５上に配置したＬＥＤが点灯するので、下ケース５に保持されたランプカバー１６を介してヘアーカッター本体１の外側から点灯を確認し、充電状況を把握することができる。
【００２１】
図６には刈り高さ調整アタッチメント３の斜視図が示してある。アタッチメント基台２７と櫛２８を接着固定することで形成されたものであり、ヘアーカッター本体１に前述のように係止して使用する。
【００２２】
次に、刈り高さ調整アタッチメント３をヘアーカッター本体１に仮保持する為の手段、および刈り高さ調整アタッチメント３の仮保持を固定する為の手段に共通して使用するクリック部材８の詳細な構成について説明する。図７はクリック部材８周辺を下ケース５側から見た断面図、図８はクリック部材８周辺の垂直断面図である。図７（ａ）および図８（ａ）、（ｂ）はスイッチボタン６がオフの場合であり、スイッチボタン６は開口部１ａのプラグ側から突出している。スイッチ基台７から刃先方向に延設したスイッチ基台後端部７ａは、クリック部材８の底部から側面方向に伸びた一対の突起部８ａと係合しない位置にあるので、クリック部材８は開口部４ａから出入り自在である。これに対して図７（ｂ）および図８（ｃ）はスイッチボタン６がオンの場合であり、スイッチボタン６が開口部１ａの刃先側に位置している為に、スイッチボタン６と連結したスイッチ基台７もスイッチボタン６がオフの場合と比べて刃先側にある。従ってスイッチ基台後端部７ａとクリック部材８の突起部８ａは係合する位置にあり、クリック部材８は開口部４ａから突出した状態でその出入り動作を固定されている。上記のような構成によれば、ヘアーカッター本体１に仮保持された刈り高さ調整アタッチメント３に刃先方向もしくはその反対のプラグ方向に対して荷重が働いた場合に、スイッチボタン６がオフの場合は図８（ｂ）に示すようにクリック部材８がヘアーカッター本体１の内部に引っ込み、刈り高さ調整アタッチメント３はヘアーカッター本体１の外面上を自由にスライドすることが可能となる。スイッチボタン６がオンの場合にはクリック部材８は刈り高さ調整アタッチメント３と係合した状態でその出入り動作を固定されるので、刈り高さ調整アタッチメント３がヘアーカッター本体１の外面上をスライドすることは防止される。
【００２３】
更に図９に基づいて実際の使用方法について説明する。ヘアーカッター本体１のスイッチボタン６がオフの状態で刈り高さ調整アタッチメント３を自由にスライドさせ、希望の刈り高さで仮保持する。スイッチボタン６をオンにして実際に毛髪をカットしている状態では、仮保持されていた刈り高さ調整アタッチメント３はヘアーカッター本体１に自動的に固定されているので、作業中に不用意に刈り高さが変化することもなく、安心してカットすることができる。また刈り高さを変更したい場合は一旦スイッチボタン６をオフにしてからスライドさせる必要があるので、その際に刈り高さの確認を確実に行うことができる。
【００２４】
図１０は刈り高さ調整アタッチメントの仮保持および仮保持の固定に係る本発明の実施形態における他の例であり、クリック部材３０周辺の垂直断面図を示している。該クリック部材３０は開口部４ａからの突出量が刃先方向にかけて徐々に増加するテーパ状の形態を有しており、該クリック部材３０の底部に設けた一対の突起部３０ａの底面には溝部３０ｂが施してある。スイッチボタン６がオンの状態で刈り高さ調整アタッチメント３をプラグ方向にスライドさせる荷重を加えた場合には、図７（ａ）に示すように突起部３０ａがスイッチ基台後端部７ａと係合することでクリック部材３０は開口部４ａから突出した状態でその出入り動作が固定されている。従って刈り高さ調整アタッチメント３の不用意なスライドは防止される。スイッチボタン６がオンの状態で刈り高さ調整アタッチメント３を刃先方向にスライドさせる荷重を加えた場合には、図７（ｂ）に示すように刈り高さ調整アタッチメント３がプラグ方向からクリック部材３０の表面上を滑ると同時に溝部３０ｂにスイッチ基台後端部７ａが嵌合してゆく。このようにしてクリック部材３０は徐々に傾倒し、開口部４ａからの突出が殆ど無くなった状態で刈り高さ調整アタッチメント３はクリック部材３０の表面上を通過して刃先方向にスライドしてゆく。上記のような構成によれば、スイッチボタン６をオンにして使用中の場合に、刈り高さ調整アタッチメント３が刈り高さを低くする方向に不用意に変化することを防止し、加えて、刈り高さを高くする方向には自由に位置変更ができる。また図示はしていないが、スイッチボタン６がオフの場合にはスイッチ基台後端部７ａは突起部３０ａと係合しない位置にあるので、クリック部材３０は出入り自在であり、自由に刈り高さを変更することができる。
【００２５】
図１１は刈り高さ調整アタッチメントの仮保持および仮保持の固定に係る本発明の実施形態における他の例であり、クリック部材３１周辺の垂直断面図を示している。スイッチ基台後端部３３は刃先側とプラグ側で異なった厚みを有しており、スイッチボタン６がオフの場合には図１１（ａ）に示すようにスイッチ基台後端部３３の刃先側である比較的薄い方の部分がカバー３２を開口部４ａ方向へ押し上げている。更にクリック部材３１がコイルバネ９を介してカバー３２に取り付けられており、該クリック部材３１は開口部４ａから出入り自在に僅かに突出した状態である。この突出部が溝穴３ａと係合することで刈り高さ調整アタッチメント３はヘアーカッター本体１に仮保持されている。スイッチボタン６がオンの場合には図１１（ｂ）に示すように、スイッチ基台後端部３３のプラグ側である比較的厚みを持つ部分がカバー３２を、スイッチボタン６がオフの状態よりも更に開口部４ａ方向に押し上げている。従ってクリック部材３１は開口部４ａから出入り自在であり、且つ、スイッチボタン６がオフの場合と比較してより多くの部分が突出した状態となる。この突出部が溝穴３ａと係合することによって、ヘアーカッター本体１は刈り高さ調整アタッチメント３を、スイッチボタン６がオフの場合と比較してより強い強度で保持することができる。
【００２６】
図１２は刈り高さ調整アタッチメントの仮保持および仮保持の固定に係る本発明の実施形態における他の例である。図１２（ａ）に示すようにスイッチボタン６がオフの場合は、スイッチ基台後端部３３の刃先側である比較的薄い方の部分によって押し上げられたカバー３４によってクリック部材３５が開口部４ａより突出している。図１２（ｂ）に示すようにスイッチボタン６がオンの場合にはスイッチ基台後端部３３のプラグ側である比較的厚みを有した部分によって押し上げられたカバー３４によってクリック部材３５が開口部４ａから突出している。図に示すようにスイッチボタン６がオフの場合とオンの場合では溝穴３ａと係合する突出部の大きさは略同じであり、上記のスイッチ基台後端部３３における厚みの違いによってバネ荷重はスイッチボタン６がオフの場合と比較してスイッチボタン６がオンの場合の方が大きくなる。従って上記の構成によればスイッチボタン６がオンの場合には、スイッチボタン６がオフの場合と比較して、刈り高さ調整アタッチメント３の保持力をより強く有することになる。
【００２７】
図１３および図１４は刈り高さ調整アタッチメントの仮保持および仮保持の固定に係る本発明の実施形態における他の例を示している。図１３はクリック部材３７周辺を下ケース５側からみた断面図であり、スイッチボタン６がオフの場合には図に示すようにクリック部材３７の底部に設けた凸部３７ａとスイッチ基台後端部３８に設けた凹部３８ａが嵌合している。スイッチボタン６をオンにすればスイッチ基台後端部３８は刃先方向にスライドするので、凹部３８ａも図１３の点線で示す凹部３８ａ´の位置にスライドする。それに伴って凸部３７ａも図中の点線で示す凸部３７ａ´の位置へと移動し、クリック部材３７はスイッチボタン６がオフの場合と比較して中心点周りに時計方向に回転することになる。図１４はクリック部材３７を示しており、（ａ）はスイッチボタン６がオフ場合のクリック部材３７を上ケース側から見た正面図、（ｂ）は（ａ）の直線Ｂ−Ｂ´における断面図、（ｃ）はスイッチボタン６がオンの場合のクリック部材３７を上ケース側から見た正面図、（ｄ）は（ｃ）の直線Ｂ−Ｂ´における断面図を示している。クリック部材３７は異なったテーパ面を複数有しているので、スイッチボタン６がオフの場合にはテーパ面３７ｂにおいて溝穴３ａと接するのに対し、スイッチボタン６がオンの場合にはクリック部材３７の上記の回転によってテーパ面３７ｃにおいて溝穴３ａと接する。従って図１４の（ｂ）、（ｄ）に示すようにテーパ面３７ｂ、３７ｃの当て面角度をそれぞれα、βとした時にα>βであれば、スイッチボタン６をオンにした場合にはスイッチボタン６をオフにした場合と比較して刈り高さ調整アタッチメント３の保持力をより強くすることができる。
【００２８】
次に、刈り高さ調整アタッチメント３に或る一定以上の荷重が加わった時にスイッチボタン６が自動的にオフとなる機能に係る本発明の実施形態の例について説明する。図１５に示す実施形態の一例は、図１から図１０に示したヘアーカッター本体１の構成に、更にクリック部材８の底部に設けた突起部８ａとスイッチ基台後端部７ａにテーパ面を施した構成を有するものである。図１５（ｂ）に示すようにスイッチボタン６がオンの状態では突起部８ａとスイッチ基台後端部７ａとは互いのテーパ面により接している。刈り高さ調整アタッチメント３に荷重が加わると、クリック部材８を引っ込める方向に荷重が発生する。該荷重は互いのテーパ面を介して突起部８ａからスイッチ基台後端部７ａへと伝達され、スイッチ基台後端部７ａをプラグ方向にスライドさせる荷重となる。このようにして伝達された荷重が或る一定以上の大きさとなればスイッチ基台後端部７ａがプラグ方向へとスライドし、自動的にスイッチボタン６をオフにすることができる。
【００２９】
図１６は刈り高さ調整アタッチメント３に或る一定以上の荷重が加わった時にスイッチボタン６が自動的にオフとなる機能に係る本発明の実施形態における他の例を示している。クリック部材４０は上ケース４に設けた略楕円形状の開口部４ａ´からその一部が突出している。カバー３９には、押し下げボス３９ａを下ケース方向に、更に一対のクリック片３９ｂをプラグ方向へと突設している。該押し下げボス３９ａはスイッチ基台後端部４１に設けた長穴４１ａと嵌合しており、該クリック片３９ｂは上ケース４に設けた丸ボス４ｂと接するように配置されている。スイッチボタン６がオンの状態では、図１６（ａ）、（ｂ）に示すようにスイッチ基台後端部４１は刃先側に位置してクリック部材４０と係合しているので、刈り高さ調整アタッチメント３の不用意なスライドを防止している。或る一定以上の荷重が刈り高さを低くする方向、つまりプラグ方向に向けて刈り高さ調整アタッチメント３にかかった場合、該荷重の伝達されたクリック部材４０は開口部４ａ´の刃先側からプラグ１８側へとスライドする。図１６（ｃ）に示すように、連動してカバー３９もプラグ方向へとスライドし、一対のクリック片３９ｂが丸ボス４ｂを挟み込むことで係止する。このとき長穴４１ａと嵌合した押し下げボス３９ａを介してスイッチ基台後端部４１もプラグ方向へとスライドする為、連動してスイッチボタン６がオフとなる。尚、上記のスライドを始める荷重はクリック片３９ｂと丸ボス４ｂの形状等により設定することができる。
【００３０】
【発明の効果】
上記のように請求項１記載の発明にあっては、スイッチボタンがオフの場合には刈り高さ調整アタッチメントのヘアーカッター本体への仮保持位置を複数段階の刈り高さで自由に変更することができ、且つ、スイッチボタンがオンの状態にすれば自動的に上記の仮保持を固定する構成となっているので、使用中に不用意に短く刈りすぎてしまうことを防止できる。更に刈り高さを変更する時には一旦スイッチを切る必要があるので、その際に使用者は刈り高さの確認を確実に行うことができる。また、刈り高さ調整アタッチメントを仮保持する為の手段と、刈り高さ調整アタッチメントの仮保持を固定する為の手段として、共にクリック部材を利用することにより、部品点数を削減し、製品のコンパクト化ならびにコストダウンを図ることができる。加えて、クリック部材に突起部を設けてあり、クリック部材の近傍に配してある引っ込み動作制限用部材は、スイッチボタンがオンの場合には突起部と係合する位置に動作してクリック部材を固定するものであることで、刈り高さ調整アタッチメントを安定して固定することができる。
【００３１】
請求項２記載の発明にあっては、クリック部材が出入りする上記開口部を、ヘアーカッター本体の外面の略中央部に設けたことによって、刈り高さ調整アタッチメントを固定した際のがたつきを防止することができる。
【００３２】
請求項３記載の発明にあっては、クリック部材との間にバネを介するカバーの底部を、モータの外面により支持していることにより、刈り高さ調整アタッチメントをより安定して固定することができる。
【００３４】
請求項４記載の発明にあっては、クリック部材を、ヘアーカッター本体の開口部からの突出量が刃先方向に向けて増加するテーパ状の形状とし、且つ該クリック部材を傾倒自在に備えることで、スイッチボタンがオンの場合には刈り高さ調整アタッチメントが刃先方向にのみスライド自在としているので、刈り高さ調整アタッチメントのプラグ方向へのスライドを防止することができる。
【００３９】
請求項５記載の発明にあっては、クリック部材の上記突起部と引っ込み動作制限用部材とに、スイッチボタンがオンの場合に互いに接触するテーパ面を設けることで、或る一定以上の荷重がクリック部材に加わった場合には上記突起部の押し込みによって引っ込み動作制限用の部材がスライドしてスイッチボタンをオフとするように設けているので、使用中に強く押えすぎた時や衝撃落下時などの異常使用時にスイッチボタンが自動的にオフになる。従って使用者は安全にカットを行うことができる。
【図面の簡単な説明】
【図１】  本発明の実施形態の一例であるヘアーカッター本体を示しており、（ａ）は正面図、（ｂ）は側面図である。
【図２】  図１のヘアーカッター本体に刈り高さ調整アタッチメントを取り付けた状態を示しており、（ａ）は刈り高さを１０ｍｍに設定した場合の正面図、（ｂ）は刈り高さを４０ｍｍに設定した場合の正面図である。
【図３】  図２のヘアーカッターの側面図であり、（ａ）は刈り高さを１０ｍｍとした場合、（ｂ）は刈り高さが４０ｍｍの場合である。
【図４】  図１のヘアーカッター本体を示しており、（ａ）は上ケースを外した状態での正面図、（ｂ）は側面方向から見た場合の断面図、（ｃ）は（ａ）及び（ｂ）の直線Ａ−Ａ´における断面図である。
【図５】  図１のヘアーカッター本体の分解斜視図である。
【図６】  図２のヘアーカッター本体に取り付けた刈り高さ調整アタッチメントの斜視図である。
【図７】  図１のヘアーカッター本体のクリック部材周辺を下ケース側から見た断面図を示しており、（ａ）はスイッチボタンがオフの場合、（ｂ）はスイッチボタンがオンの場合である。
【図８】  図７のヘアーカッター本体におけるクリック部材周辺の垂直断面図を示しており、（ａ）及び（ｂ）はスイッチボタンがオフの場合、（ｃ）はスイッチボタンがオンの場合である。
【図９】  図２のヘアーカッターの実使用状態である。
【図１０】  本発明の実施形態における他の例であるヘアーカッター本体のクリック部材周辺の断面図を示しており、（ａ）はスイッチボタンがオフの場合、（ｂ）はスイッチボタンがオンの場合である。
【図１１】  本発明の実施形態における他の例であるヘアーカッター本体のクリック部材周辺の断面図を示しており、（ａ）はスイッチボタンがオフの場合、（ｂ）はスイッチボタンがオンの場合である。
【図１２】  本発明の実施形態における他の例であるヘアーカッター本体のクリック部材周辺の断面図を示しており、（ａ）はスイッチボタンがオフの場合、（ｂ）はスイッチボタンがオンの場合である。
【図１３】  本発明の実施形態における他の例であるヘアーカッター本体のクリック部材周辺を下ケース側からみた断面図である。
【図１４】  図１３のヘアーカッター本体におけるクリック部材を示したものであり、（ａ）はスイッチボタンがオフの場合に上ケース側から見た正面図、（ｂ）は（ａ）の直線Ｂ−Ｂ´における断面図、（ｃ）はスイッチボタンがオンの場合に上ケース側から見た正面図、（ｄ）は（ｃ）の直線Ｂ−Ｂ´における断面図である。
【図１５】  一定以上の荷重が加わった時にスイッチボタンが自動的にオフになる構造の実施形態の一例を示しており、（ａ）はスイッチボタンがオフの場合でのクリック部材周辺の断面図、（ｂ）はスイッチボタンがオンの場合でのクリック部材周辺の断面図である。
【図１６】  一定荷重が加わった時にスイッチボタンが自動的にオフになる構造の実施形態における他の例を示しており、（ａ）はスイッチボタンがオフの場合でのクリック部材周辺を下ケース側から見た断面図、（ｂ）は（ａ）の断面図、（ｃ）は一定荷重が加わってスイッチボタンがオフになった場合のクリック部材周辺を下ケース側から見た断面図である。
【符号の説明】
１  ヘアーカッター本体
３  刈り高さ調整アタッチメント
３ａ  溝穴
４ａ  開口部
６  スイッチボタン
７ａ  スイッチ基台後端部
８  クリック部材
８ａ  突起部
１０  カバー
１４  モータ
α、β  当て面角度
【図１】
0004130725.tif 000002
【図２】
0004130725.tif 000003
【図３】
0004130725.tif 000004
【図４】
0004130725.tif 000005
【図５】
0004130725.tif 000006
【図６】
0004130725.tif 000007
【図７】
0004130725.tif 000008
【図８】
0004130725.tif 000009
【図９】
0004130725.tif 000010
【図１０】
0004130725.tif 000011
【図１１】
0004130725.tif 000012
【図１２】
0004130725.tif 000013
【図１３】
0004130725.tif 000014
【図１４】
0004130725.tif 000015
【図１５】
0004130725.tif 000016
【図１６】
0004130725.tif 000017